(57)【要約】  【課題】  川床や法面にゴム堰用袋体を設置する際に、その設置面部の気密性を向上して、設置する底面部からの水漏れを防止可能とするゴム堰用袋体の固定方法を提供することである。【解決手段】  二重のゴム引布２と気密シート３とからなる三重部の厚みに合致するように、一重のゴム引布２と前記気密シート３とを固定する二重部に第一のスペーサ部材４を介装し、二重のゴム引布２を固定する部分に第二のスペーサ部材５を介装して、それぞれの固定部の厚みを略同等として前記袋体を形成するゴム堰用袋体１の固定方法とした。【選択図】    図２
2007138657.tif 000002
【特許請求の範囲】
【請求項１】
空気や水等の流体の給排により起立・倒伏するゴム堰となるゴム引布製の袋体を、河川などの流路を横切るように設置する際のゴム堰用袋体の固定方法であって、
前記袋体を固定する河床や法面に気密シートを敷設し、その上に前記ゴム引布を袋状に固定する際に、二重のゴム引布と前記気密シートとからなる三重部の厚みに合致するように、一重のゴム引布と前記気密シートとを固定する二重部に第一のスペーサ部材を介装し、二重のゴム引布を固定する部分に第二のスペーサ部材を介装して、それぞれの固定部の厚みを略同等として前記袋体を形成することを特徴とするゴム堰用袋体の固定方法。
【請求項２】
前記気密シートの上に前記ゴム引布を二つ折り状に折り返して袋状として固定する際に、
前記二つ折り状の下側に相当する前記ゴム引布の一端を、前記気密シート上の流れ方向の下流側端部に流路を横切るように設けられた重ね代部に固定して、その後で、前記ゴム引布の他端部を上側にして流れの上流側に折り返して二つ折り状とし、前記気密シート上の上流側端部に前記他端部を固定する重ね合わせ部と、開放状態の両側端部を閉止する重ね合わせ部との三方の重ね合わせ部をそれぞれ固定して袋体を構成すると共に、
前記両側端部の前記気密シート上の三重部となる前記重ね代部以外の前記両側端部、および前記他端部を前記気密シート上に固定する二重部のそれぞれの重ね合わせ部に前記第一のスペーサ部材を介装して三重部とし、
二つ折りした前記ゴム引布同士を閉止する二重部の前記気密シートの存在しない河床や法面に前記第二のスペーサ部材を介装して三重部とし、
前記三方の重ね合わせ部の厚みを略同等として段差を解消した状態で固定金具を用いて固定することを特徴とする請求項１に記載のゴム堰用袋体の固定方法。
【請求項３】
前記第一のスペーサ部材が、前記ゴム引布と同一素材で同一厚みのスペーサであることを特徴とする請求項１または２に記載のゴム堰用袋体の固定方法。
【請求項４】
前記第二のスペーサ部材が、前記ゴム引布と同一素材で同一厚みのスペーサであることを特徴とする請求項１から３のいずれかに記載のゴム堰用袋体の固定方法。
【請求項５】
前記第二のスペーサ部材が、前記気密シートと同一素材で同一厚みのスペーサであることを特徴とする請求項１から３のいずれかに記載のゴム堰用袋体の固定方法。
【発明の詳細な説明】
【技術分野】
【０００１】
本発明は、河川などの流路に設置する堰に関し、特に、空気または水等の流体を供給して膨張するゴム堰用袋体の固定方法に関するものである。
【背景技術】
【０００２】
従来、河川などの流路に設置する堰として、空気または水等の流体を供給することで膨張して流路を堰き止めるゴム堰用袋体が用いられている。
【０００３】
また、このゴム堰は、施工が簡単で、維持管理が容易で、経費も安いなどの多くの利点を有するものである。そのために、流水を貯溜して簡易水道や農業用水の確保時に使用可能であり、さらに大型なものでは発電にも利用可能であり、また、河口で満潮時の海水逆流の防止にも利用可能であり、さらには、大雨時の洪水防止の用途にも利用可能で非常に有用なものである。
【０００４】
このゴム堰に用いるゴム堰用袋体は、通常、ナイロンやポリエステル等の有機繊維で作られた織物をゴムで被覆して一体化したゴム引布製である。このゴム引布は要求強度に応じ、何枚かを積層して用いられる。
【０００５】
また、前記ゴム堰用袋体を流路に設置する際には、一般に図４（ａ）に示すように、前記ゴム引布を折り返して二つ折りとして、その重ね合わせ部と両側部の開口部を河床や法面に固定金具６で固定して閉止することで袋状のゴム堰１Ａを形成している。さらに、前記袋体に空気や水等の流体を給排する給排装置を設けて、流体の給排によって膨張・収縮させて、流路に対して起立・倒伏する構成としている。
【０００６】
本出願人からも、ゴム堰として使用可能な袋体に関する出願が既にされており、例えば、帆布で補強されたゴム層からなるゴム製袋体とその製造方法が出願されている（例えば、特許文献１参照）。
【０００７】
また、図４（ｂ）に示すように、二つ折りしたゴム引布の重ね合わせ部と、流れ方向の前後に離れた位置との二箇所を固定する二列固定式の袋体からなるゴム堰１Ｂや、図４（ｃ）に示すように、河床や法面に予め気密シート３Ａを敷設した上に、前記ゴム引布の両端部を流れ方向の前後に離れた位置に固定する二列固定式として、川床からの水漏れを防ぐ構成のゴム堰１Ｃとすることも行われている。
【特許文献１】特開２００４−６８３２３号公報（第１−６頁、第２図）
【発明の開示】
【発明が解決しようとする課題】
【０００８】
ゴム堰として使用される袋体は、通常、風呂敷状あるいは予め二つ折り状態としたものを、川床および法面に金具等で固定している。また、大型の堰の場合には、制作や、輸送や、据付施工の都合により、分割して製作することがある。
【０００９】
また、ゴム堰を設置する底面部からの水漏れを防止するために、前記底面部に気密性を付与する目的で、川床面や法面に気密シートを設置することもある。
【００１０】
前記気密シートを予め敷設してその上にゴム堰を設置する際には、前記気密シートとゴム引布との閉止部分として、気密シートとゴム引布の一端を固定する二枚部分と、二重のゴム引布を閉止して袋状とする二枚部分と、気密シートと前記二重のゴム引布を閉止する三枚部分とが生じることになる。
【００１１】
前記二枚部分と前記三枚部分とではその厚みが違っているので、それらの境界部分に段差を生じることになる。そのために通常は、その段差により生じる隙間をクッションゴムやシーリング材等で埋めるようにし金具固定している。
【００１２】
しかし、もともと段差を有しており隙間を生じやすい構成であるので、水漏れを防止するための気密性は完全ではなく、その信頼性に問題を含んでいることは明らかである。
【００１３】
本発明の目的は、上記問題点に鑑み、川床や法面にゴム堰用袋体を設置する際に、その設置面部の気密性を向上して、設置する底面部からの水漏れを防止可能とするゴム堰用袋体の固定方法を提供することである。
【課題を解決するための手段】
【００１４】
上記の目的を達成するために請求項１に係る発明は、空気や水等の流体の給排により起立・倒伏するゴム堰となるゴム引布製の袋体を、河川などの流路を横切るように設置する際のゴム堰用袋体の固定方法であって、前記袋体を固定する河床や法面に気密シートを敷設し、その上に前記ゴム引布を袋状に固定する際に、二重のゴム引布と前記気密シートとからなる三重部の厚みに合致するように、一重のゴム引布と前記気密シートとを固定する二重部に、第一のスペーサ部材を介装し、二重のゴム引布を固定する部分に第二のスペーサ部材を介装して、それぞれの固定部の厚みを略同等として前記袋体を形成することを特徴としている。
【００１５】
上記の構成を有する請求項１に係る発明によれば、ゴム引布製の袋体を形成する際に、気密シートと二重のゴム引布を固定する厚みに一致させて、その他の部分にそれぞれスペーサ部材を介装するので、川床や法面にゴム堰用袋体を固定する部分が全て同等の厚みとなって、川床や法面との気密性を確実に発揮することが可能となる。
【００１６】
請求項２に係る発明は、前記気密シートの上に前記ゴム引布を二つ折り状に折り返して袋状として固定する際に、前記二つ折り状の下側に相当する前記ゴム引布の一端を、前記気密シート上の流れ方向の下流側端部に流路を横切るように設けられた重ね代部に固定して、その後で、前記ゴム引布の他端部を上側にして流れの上流側に折り返して二つ折り状とし、前記気密シート上の上流側端部に前記他端部を固定する重ね合わせ部と、開放状態の両側端部を閉止する重ね合わせ部との三方の重ね合わせ部をそれぞれ固定して袋体を構成すると共に、前記両側端部の前記気密シート上の三重部となる前記重ね代部以外の前記両側端部、および前記他端部を前記気密シート上に固定する二重部のそれぞれの重ね合わせ部に前記第一のスペーサ部材を介装して三重部とし、二つ折りした前記ゴム引布同士を閉止する二重部の前記気密シートの存在しない河床や法面に前記第二のスペーサ部材を介装して三重部とし、前記三方の重ね合わせ部の厚みを略同等として段差を解消した状態で固定金具を用いて固定することを特徴としている。
【００１７】
上記の構成を有する請求項２に係る発明によれば、袋体を構成するゴム引布の前後端部を離してそれぞれ固定する二列固定式であっても、川床や法面にゴム堰用袋体を固定する上流側および両側部の三方部分が全て同等の厚みとなって、固定部に段差を生じずに気密性を確実に発揮することができ、川床や法面と袋体との固定部からの水漏れを防止することができる。
【００１８】
請求項３に係る発明は、前記第一のスペーサ部材が、前記ゴム引布と同一素材で同一厚みのスペーサであることを特徴としている。
【００１９】
上記の構成を有する請求項３に係る発明によれば、一重のゴム引布と気密シートとを固定する二重部であっても、第一のスペーサ部材を介装することで、重ね代部の二重のゴム引布と前記気密シートとからなる三重部の厚みと同等の厚みとすることができる。
【００２０】
請求項４に係る発明は、前記第二のスペーサ部材が、前記ゴム引布と同一素材で同一厚みのスペーサであることを特徴としている。
【００２１】
上記の構成を有する請求項４に係る発明によれば、開放状態の両側端部を重ね合わせて閉止してゴム引布製の袋体を形成する際に、気密シートを介在していない部分であっても、ゴム引布と同一素材で同一厚みのスペーサである第二のスペーサ部材を介装することで、二重のゴム引布と前記気密シートとからなる三重部の重ね代部から連続して段差のない厚みとすることができる。
【００２２】
請求項５に係る発明は、前記第二のスペーサ部材が、前記気密シートと同一素材で同一厚みのスペーサであることを特徴としている。
【００２３】
上記の構成を有する請求項５に係る発明によれば、開放状態の両側端部を重ね合わせて閉止してゴム引布製の袋体を形成する際に、気密シートを介在していない部分であっても、気密シートと同一素材で同一厚みのスペーサである第二のスペーサ部材を介装することで、二重のゴム引布と前記気密シートとからなる三重部の重ね代部から連続して段差のない厚みとすることができる。
【発明の効果】
【００２４】
上記したように本発明によれば、袋体を設置する河床や法面に気密シートを敷設し、その上に前記ゴム引布を二つ折りにして袋状に固定する際に、二重のゴム引布と前記気密シートとからなる三重部の厚みに合致するように、一重のゴム引布と前記気密シートとを固定する二重部に、第一のスペーサ部材を介装し、二重のゴム引布を固定する部分に第二のスペーサ部材を介装して、それぞれの固定部の厚みを略同等として前記袋体を形成する構成としたので、川床や法面にゴム堰用袋体を固定する部分が全て同等の厚みとなって、前記袋体と川床や法面との気密性を発揮して水漏れを確実に防止可能なゴム堰用袋体の固定方法を得ることができる。
【発明を実施するための最良の形態】
【００２５】
以下、本発明に係るゴム堰用袋体の固定方法の実施の形態について、図１から図４に基づいて詳細に説明する。
【００２６】
本発明に係るゴム堰用袋体は、ナイロンやポリエステル等の有機繊維の織布にゴムを被覆して成るゴム引布、もしくは、少なくとも２層の補強布及びその中間のゴムの層からなる補強層、及び上下のカバ−ゴム層より形成されるゴム引布などを袋状として、河川などの流路を横切るように設置するゴム堰である。また、前記袋体に空気または水等の流体を給排する給排装置（不図示）を接続して、空気や水等の流体の給排により起立・倒伏する構成としている。河川に流水を貯溜する場合には、前記流体を前記袋体内に供給して袋体を膨張させることによりゴム堰用袋体を起立させ、貯溜水を除去する場合には、前記流体を前記袋体内から排除して袋体を収縮させることにより前記ゴム堰用袋体を倒伏させるものである。
【００２７】
そのために、所定大きさのゴム堰を構成するために、設置する流路幅に応じた幅のゴム引布を、川床や法面に袋状に固定して所定大きさのゴム堰用袋体を設置している。
【００２８】
図１に、設置されたゴム堰用袋体１の概要を示す。図に示すゴム堰用袋体１は不図示の給排装置により流体を供給して起立した状態であり、所定高さの堰を形成し、流れ出す水量を制限することができる。
【００２９】
前記ゴム堰用袋体１は、ゴム引布２を、川床に敷設する気密シート３上に、固定金具６を用いて袋状に固定したものである。気密シート３は、川床とゴム引布２との間からの水漏れを防止するために、その設置部に気密性を付与するためのゴムシートである。また、図に示すような流路の下流側に相当する川床中央部付近の重ね代部８は、気密シート３上にゴム引布２を折り返した際の下側のゴム引布２のみを固定する二重状態で固定していけばよいが、両側端部側のゴム引布２を袋状に閉止する際には、折り返した上下二重のゴム引布と気密シートとを重ね合わせて閉止する三重部の重ね合わせ構成となる。
【００３０】
つまり、前記二つ折り状の下側に相当する前記ゴム引布２の一端を、前記気密シート３上の流れ方向の下流部端部に流路を横切るように設けられた重ね代部８に固定して、その後で、前記ゴム引布の他端部を上側にして流れの上流側に折り返して二つ折り状とし、前記気密シート３上の上流部端部に前記他端部を固定する重ね合わせ部７と、開放状態の両側端部を閉止する重ね合わせ部との三方の重ね合わせ部をそれぞれ固定して袋体を構成する際に、そのまま固定する構成であれば、前記両側端部の前記気密シート上では、前述した三重部となる部分と、前記重ね代部以外の前記両側端部から形成される二重部と、前記他端部を前記気密シート上に固定する二重部とが存在することになる。
【００３１】
袋体を確実に閉止すると共に川床や法面との接触部に気密性を持たせるためには、袋状に閉止する底面部周辺を面一として、段差をなくし、隙間が生じない構成とすることが好ましい。
【００３２】
そのために、前記重ね代部８以外の前記両側端部から形成される二重部と、前記他端部を前記気密シート３上に固定する二重部のそれぞれの重ね合わせ部に第一のスペーサ部材４を介装して三重部とし、二つ折りした前記ゴム引布同士を閉止する二重部の前記気密シート３の存在しない河床や法面に第二のスペーサ部材５（図２参照）を介装して三重部とし、前記三方の重ね合わせ部の厚みを略同等として段差を解消した状態で固定金具を用いて固定する構成としている。
【００３３】
つまり、本発明に係るゴム堰用袋体の固定方法では、図２に示すように、ゴム堰用袋体１を固定する際に、折り返した状態の上側のゴム引布２を固定する三方を、全て三重のシート厚みとする構成とした。つまり、二重のゴム引布２と気密シート３とを重ね合わせて閉止する三重の重ね合わせ部７Ａの厚みに一致するように、気密シート３上に一重のゴム引布２を固定する二重部分には、第一のスペーサ部材４を介装して三枚シート構成とした重ね合わせ部７Ｂとした。また二重のゴム引布のみを閉止する部分には、第二のスペーサ部材５を介装して三枚シート構成とした重ね合わせ部７Ｃとし、それぞれの重ね合わせ部７Ａ、７Ｂ、７Ｃを全て三枚シート構成の三重部として略同等の厚みとなるようにした。また、流路の中央部分の上流側に位置する前記重ね合わせ部７も気密シート３上に一重のゴム引布２を固定する二重部分であり、前記重ね合わせ部７Ｂと同様に第一のスペーサ部材４を介装して三枚シート構成としている。
【００３４】
前記第一のスペーサ部材４は、例えば、前記ゴム引布２と同一素材で同一厚みのスペーサであればよい。また、前記第二のスペーサ部材５も、前記ゴム引布２と同一素材で同一厚みのスペーサとしてもよい。また、前記第二のスペーサ部材５を、前記気密シート３と同一素材で同一厚みのスペーサとしてもよい。この構成であれば、開放状態の両側端部を重ね合わせて閉止してゴム引布製の袋体を形成する際に、気密シート３を介在していない部分であっても、気密シート３と同一素材で同一厚みのスペーサである第二のスペーサ部材５を介装することで、二重のゴム引布２と前記気密シート３とからなる三重の重ね合わせ部から連続して段差のない厚みとすることができる。
【００３５】
前記第一および第二のスペーサ部材を、前記ゴム引布２や前記気密シート３以外の材質のゴムシートとしてもよいが、使用するゴム引布２や気密シート３と同一素材のスペーサ部材を用いる構成であれば、新たな素材等を必要とせず、現場の状況に応じた大きさのスペーサ部材をその場で直ちに準備することも可能であり、施工管理が容易となる。
【００３６】
上記したような袋体を形成する際に、折り返した上部のゴム引布２を閉止する周囲三方を全て三重のシート構成とすれば、固定金具６により固定する際に、ゴム堰用袋体１を固定する周辺部分の厚みが略同等で段差がない状態となる。そのために、周辺部全周に隙間が生じない構成となり、底面部からの水漏れを確実に防止することが可能である。
【００３７】
図３（ａ）には、ゴム堰用袋体１の閉止し固定する底面部の様子を示す流路の断面方向の概略説明図を示している。図から判るように川床１０に設置する固定部も、法面１１に設置する固定部も、いずれもが三重の重ね合わせ部となっており、川床や法面にゴム堰用袋体１を固定する部分が全て同等の厚みとなって、川床や法面との気密性を確実に発揮して、川床や法面と袋体との固定部からの水漏れを防止することができる。
【００３８】
図３（ｂ）には固定部の平面方向の概略説明図を示している。川床の中央部付近下流側は気密シール３と一重のゴム引布２の二枚シート構成の重ね代部８であるが、その他の周辺部はいずれもが三重の重ね合わせ部とされており、二重のゴム引布２と気密シート３とを重ね合わせて閉止する重ね合わせ部７Ａ、気密シート３上に一重のゴム引布２を固定する部分に第一のスペーサ部材４を介装して三枚シート構成とした重ね合わせ部７Ｂ、二重のゴム引布２のみを閉止する部分に第二のスペーサ部材５を介装して三枚シート構成とした重ね合わせ部７Ｃとした。
【００３９】
上記のような構成としているので、ゴム堰用袋体を固定する川床と両岸の法面の三方部分のシート厚みが全て同等の厚みとなって、川床や法面との気密性を発揮して水漏れを確実に防止可能なゴム堰用袋体の固定方法となる。
【００４０】
さらに、本発明に係わるゴム堰用袋体の固定方法によれば、設置する流路幅に応じた幅のゴム引布を直接現場で固定可能であり、川床や法面に袋状に固定して所定大きさのゴム堰用袋体を設置することができる。
【００４１】
また、使用するゴム引布や気密シートと同一素材のスペーサ部材を介装して、厚みを同等とした後で、底面部周辺を固定金具で固定するので、新たな素材等を必要とせず、現場の状況に応じた大きさのスペーサ部材を直ちに準備可能であり、施工管理が容易となる。
【図面の簡単な説明】
【００４２】
【図１】本発明に係るゴム堰用袋体の固定方法により設置されるゴム堰の概念図である。
【図２】本発明に係るゴム堰用袋体の固定方法を示す概略説明図である。
【図３】ゴム堰用袋体の固定状態を示す概略説明図であり、（ａ）には流路の断面方向の概略説明図を示し、（ｂ）には平面方向の概略説明図を示している。
【図４】従来のゴム堰の設置状態を示しており、（ａ）はゴム引布を折り返して二つ折りとして、その重ね合わせ部を固定金具で固定状態を示す断面図であり、（ｂ）はゴム引布を折り返して二つ折りすると共に流れ方向の前後に離れた位置との二箇所を固定する二列固定式のゴム堰を示す断面図であり、（ｃ）は気密シートを敷設した上に、前記ゴム引布の両端部を流れ方向の前後に離れた位置に固定する二列固定式のゴム堰を示す断面図である。
【符号の説明】
【００４３】
１  ゴム堰用袋体
２  ゴム引布
３  気密シート
４  第一のスペーサ部材
５  第二のスペーサ部材
６  固定金具
７、７Ａ、７Ｂ、７Ｃ  重ね合わせ部
８  重ね代部
１０  川床
１１  法面
【図１】
2007138657.tif 000003
【図２】
2007138657.tif 000004
【図３】
2007138657.tif 000005
【図４】
2007138657.tif 000006